(57)【要約】【課題】タイル毎の用紙の地合の良し悪しに応じてトナーセーブ度合を調節して、文字を判読可能としつつ、トナーセーブ効率の良好な出力画像を低コストで得る。【解決手段】前景、マスク、背景の組からなる構造化文書の符号を復号部１１０，１１１，１１２で復号し、合成処理部１１３でマスクに従って前景と背景を合成することにより文書画像データを再生する。用紙を透過した光束を用いて得られる透過画像をタイル分割し、タイル単位で用紙の地合を測定することができる地合測定手段１３６を有する。また、前景復号部１１０及び背景復号部１１１内に前景及び背景を明るく淡い画像へ補正するためのトナーセーブ処理手段１０１を有する。【選択図】図７
2014078787.tif 000002
【特許請求の範囲】
【請求項１】
前景、マスク及び背景の組からなる構造化文書の符号から、前景、マスク及び背景を復号し、復号されたマスクに従って復号された前景と背景を合成することにより文書画像データを再生する文書画像再生処理手段と、
前記文書画像再生処理手段により再生された文書画像データを色材を用いて媒体に印刷する画像出力手段と、
前記媒体を透過した光束を用いて得られる透過画像をタイル分割し、タイル単位で前記媒体の地合を測定することができる地合測定手段とを有し、
前記文書画像再生処理手段は、構造化文書の符号から再生される文書画像データを前記画像出力手段により色材の消費を抑えて印刷可能なものにするためのトナーセーブ処理を、該構造化文書の前景及び背景に対し施すトナーセーブ処理手段を含み、
前記トナーセーブ処理手段は、１つの媒体中においてもタイル単位で前記媒体の地合に応じて色材の消費を抑えるトナーセーブ度合を制御し、地合粗悪タイルでは地合良好タイルに比べて前記トナーセーブ度合を小さくすることを特徴とする画像出力装置。
【請求項２】
前記地合測定手段は、タイルの輝度の標準偏差を算出し、該標準偏差が小さいタイルは前記地合良好タイルと判定し、該標準偏差が大きいタイルは前記地合粗悪タイルと判定することを特徴とする請求項１に記載の画像出力装置。
【請求項３】
前記地合測定手段は、タイル毎に媒体をウェーブレット変換し、低周波帯域斜め方向のサブバンドのウェーブレット係数の平均値を算出し、該平均値が小さいタイルは前記地合良好タイルと判定し、該平均値が大きいタイルは前記地合粗悪タイルと判定することを特徴とする請求項１に記載の画像出力装置。
【請求項４】
前記地合測定手段は、タイル毎に前記媒体をウェーブレット変換し、低周波帯域斜め方向のサブバンドのウェーブレット係数の中央値を算出し、該中央値が小さいタイルは前記地合良好タイルと判定し、該中央値が大きいタイルは前記地合粗悪タイルと判定することを特徴とする請求項１に記載の画像出力装置。
【請求項５】
構造化文書の前景及び背景の符号は、輝度、色差の各コンポーネント別に符号化された符号であり、前記トナーセーブ処理手段は、前景及び背景の符号の復号過程において、輝度コンポーネント及び／又は色差コンポーネントに対し前記トナーセーブ処理を施すことを特徴とする請求項１〜４のうちのいずれか一項に記載の画像出力装置。
【請求項６】
前記トナーセーブ処理は、前景及び背景の符号の復号過程において、輝度コンポーネントの画素値を増大させる側へ補正する処理であって、該補正する処理において小さい画素値に対する補正の度合が大きい画素値に対する補正の度合より大きいことを特徴とする請求項１〜５のうちのいずれか一項に記載の画像出力装置。
【請求項７】
構造化文書の前景及び背景の符号は、輝度、色差の各コンポーネント別にサブバンド分割された符号であり、
前記トナーセーブ処理は、前景及び背景の符号の復号過程において、輝度コンポーネントの低周波サブバンドの係数値を増大させる側へ補正する処理であって、該補正する処理において小さい係数値に対する補正の度合が大きい係数値に対する補正の度合より大きいことを特徴とする請求項１〜５のうちのいずれか一項に記載の画像出力装置。
【請求項８】
構造化文書の前景及び背景の符号は、輝度、色差の各コンポーネント別に階層的にサブバンド分割された符号であり、
前記トナーセーブ処理は、前景及び背景の符号の復号過程において、輝度コンポーネントの所定階層以上の階層のサブバンドの係数値を増大させる側へ補正する処理であって、該補正する処理において小さい係数値に対する補正の度合が大きい係数値に対する補正の度合より大きいことを特徴とする請求項１〜５のうちのいずれか一項に記載の画像出力装置。
【請求項９】
構造化文書の前景及び背景の符号は、輝度、色差の各コンポーネント別にサブバンド分割され、各サブバンドの係数値に正規化が施された符号であり、
前記トナーセーブ処理は、前景及び背景の符号の復号過程において、輝度コンポーネントの低周波サブバンドの係数値に対する逆正規化に用いる正規化分母値を標準値より増大させる側へ補正する処理であって、該補正する処理において小さい係数値に対する逆正規化に用いる正規化分母値の補正の度合が、大きい係数値に対する逆正規化に用いる正規化分母値の補正の度合より大きいことを特徴とする請求項１〜５のうちのいずれか一項に記載の画像出力装置。
【請求項１０】
前記媒体の地合判定を画像全体で行うか、タイルに分割してタイル毎に行うかを選択する選択手段を含むことを特徴とする請求項１〜９のうちのいずれか一項に画像出力装置。
【請求項１１】
前記地合粗悪タイルでは、前景に対してトナーセーブ処理を施さず、背景に対してだけトナーセーブ処理を施すことを特徴とする請求項１〜４のうちのいずれか一項に記載の画像出力装置。
【請求項１２】
請求項１〜１１のうちのいずれか一項に記載の前記文書画像再生処理手段としてコンピュータを機能させるプログラム。
【請求項１３】
請求項１〜１１のうちのいずれか一項に記載の前記文書画像再生処理手段としてコンピュータを機能させるプログラムが記録された、コンピュータが読み取り可能な情報記録媒体。
【発明の詳細な説明】
【技術分野】
【０００１】
本発明は、プリンタや複写機等において色材（トナー、インク等）の消費を節約した印刷（トナーセーブ印刷と総称する）を実現するための技術に係り、より詳しくは、前景、マスク及び背景の組からなる構造化文書の符号からトナーセーブ印刷用の文書画像データを再生する技術に関する。
【背景技術】
【０００２】
近年、複写機やプリンタなどの画像出力装置において、低コストで印刷する要求が益々高まっている。また、用紙に再生紙を使うことで、コストダウンと環境保護を図ることが多くなってきている。
【０００３】
例えば特許文献１は、画像出力装置におけるトナーセーブ印刷のための技術を開示している。この技術によれば、前景、マスク、背景の組からなる構造化文書の復号において、トナーセーブ処理手段によって背景のみを明るく淡い画像へ補正することにより、絵柄を薄く印刷することできるため、トナーを節約することができる。
【０００４】
しかしながら、地合の悪い（地肌の濃い）用紙に印刷する際にトナーセーブしすぎると、文字が薄くなって判読できなくなってしまうことがある。さらに、最近の再生紙は全面均一の質を有するものは少なく、地肌の濃い部分と地肌の薄い部分が混在しているものが多い。
【発明の概要】
【発明が解決しようとする課題】
【０００５】
そこで、本発明は、タイル毎の用紙の地合の良し悪しに応じてトナーセーブ度合を調節して、文字を判読可能としつつ、トナーセーブ効率の良好な出力画像を低コストで得ることを目的とする。
【０００６】
ここで、本発明に係わる構造化文書について説明する。文字・線画と写真等の絵柄が混在した文書の圧縮手法として米国Ｘｅｒｏｘ社のＭＲＣ（Mixed Raster Contents）と呼ばれる手法がある。ＭＲＣでは、図１に模式的に示すように、文書画像１を、通常、文字の色情報を表す前景２、画素単位の文字領域を表すマスク３、写真等の絵柄の画像情報を表す背景４の３レイヤーに分け（構造化し）、レイヤー毎に符号化が行われる。図１の例では、前景２、マスク３、背景４はそれぞれＪＰＥＧにより符号化されているが、これは例示にすぎない。また、例ではマスクは２値データであるが、後述のように多値データとすることも可能である。
【０００７】
また、ＭＲＣモデルの前景、マスク、背景の符号化方式としてＪＰＥＧ２０００の選択を可能としたＪＰＭ（JPEG2000 Multi Layer）が標準化された（IS 15444-6）。
【０００８】
ＭＲＣやＪＰＭの構造化文書の符号から文書画像データを再生する方法は以下の通りである。まず、前景、マスク及び背景が復号される。次に、マスクに従って前景と背景を合成する。この合成においては、マスクが白黒２値の場合、マスク値が１（黒）の画素位置では合成画素値＝前景画素値、マスク値が０（白）の画素位置では合成画素値＝背景画素値とする。言い換えれば、マスク値が１の画素位置では不透明度を１、マスク値が０の画素位置では不透明度を０（透明度を１）として、背景に前景を重ね合わせる。この場合、マスクは前景と背景を選択する機能を持つわけである。
【０００９】
マスクを多値にすることもできる。例えばマスクの各画素が８ビットの正値（０を含む）をとる場合には、各画素について
合成画像値＝（２５５−マスク値）／２５５）×背景値＋（マスク値／２５５）×前景値
により前景値と背景値の加重平均をとった値が合成画像値となる。この場合、マスクは前景と背景の表示割合（不透明度もしくは透明度）を制御する機能を持つわけである。
【００１０】
後述する本発明の実施形態においては、構造化文書の前景、マスク及び背景符号はＪＰＥＧ２０００の符号であるので、ここでＪＰＥＧ２０００の概要を説明する。ただし、後述するように、背景の符号としてＪＰＥＧ２０００以外の符号が用いられる場合にも、本発明を適用可能である。
【００１１】
図２はＪＰＥＧ２０００の符号化アルゴリズムを説明するためのブロック図である。カラー画像はコンポーネント毎に重複しない矩形ブロックであるタイルに分割される（タイル分割数≧１）。圧縮・伸長は、コンポーネント毎かつタイル毎に独立に行なわれる。
【００１２】
まず、各コンポーネントの各タイルのデータが処理ブロック１１で例えばＲＧＢ空間からＹＣｂＣｒ空間へ変換される。元のデータがＲＧＢデータのように正の整数値をとる形式である場合には、ダイナミックレンジの半分を減算するためのＤＣレベルシフトも行われる。変換後のＹ，Ｃｂ，Ｃｒ各コンポーネントのデータは、処理ブロック１２でタイル毎に２次元ウェーブレット変換（順変換）を適用されてサブバンド（周波数帯）に空間分割される。
【００１３】
図３に、デコンポジションレベル数が３の場合のサブバンド分割の様子を示す。図３（ａ）に示す各タイルのＹ，Ｃｂ，Ｃｒ各コンポーネントに対して２次元ウェーブレット変換を施すことにより、図３（ｂ）に示すサブバンド（１ＬＬ, １ＨＬ, １ＬＨ, １ＨＨ）に分割する。このデコンポジションレベル１（最高階層）の低周波サブバンドである１ＬＬサブバンドの係数に対して２次元ウェーブレット変換を施すことにより、図３（ｃ）に示すサブバンド（２ＬＬ, ２ＨＬ, ２ＬＨ, ２ＨＨ）に分割する。このデコンポジションレベル２の低周波サブバンドである２ＬＬサブバンドの係数に対し２次元ウェーブレット変換を施し、図３（ｄ）に示すデコンポジションレベル３（この例では最低階層）のサブバンド（３ＬＬ, ３ＨＬ, ３ＬＨ, ３ＨＨ）に分割する。
【００１４】
図２に戻る。ＪＰＥＧ２０００では、９×７変換と呼ばれる非可逆ウェーブレット変換と５×３変換と呼ばれる可逆ウェーブレット変換が規定されている。９×７変換が用いられる場合には、処理ブロック１３で、各コンポーネントのウェーブレット係数はサブバンド毎に線形量子化（サブバンドゲイン等の補正のための正規化を含む）が施される。そして、処理ブロック１４において、指定された符号化の順番で符号化のターゲットビットを定め、ターゲットビットの周辺のビットからコンテキストを生成し、このコンテキストとターゲットビットから確率推定によりウェーブレット係数をエントロピー符号化する。
【００１５】
より詳しくは、図４に示すように、各サブバンドはプレシンクトと呼ばれる重複しない矩形領域に分割される。同じデコンポジションレベルのＬＨ，ＨＬ，ＨＨサブバンドの空間的に一致した３つの矩形領域が１つのプレシンクトとして扱われる。ただし、ＬＬサブバンドは１つの矩形領域が１つのプレシンクトとして扱われる。プレシンクトは大まかには画像中の位置を表すものである。プレシンクトをさらに矩形に分割したものがコードブロックであり、エントロピー符号化の単位である。ＪＰＥＧ２０００では、ウェーブレット係数に対し、コードブロック毎に、かつ、ビットプレーン順に、ＭＱ符号化と呼ばれるビットプレーン符号化を行う。
【００１６】
次に、処理ブロック１５で、不要なエントロピー符号を破棄し、必要なエントロピー符号をまとめてパケットを生成する。そして、処理ブロック１６でパケットを所定の順序で並べるとともに必要なヘッダなどを付加することにより１本のコードストリーム（符号）を形成する。ここで、パケットとは、プレシンクトに含まれる全てのコードブロックの符号の一部を集めたもの（例えば全てのコードブロックのＭＳＢから３枚目までのビットプレーンの符号を集めたもの）に、パケットヘッダを付けたものである。
【００１７】
一方、復号（伸長）処理は符号化処理と丁度逆の処理により、各コンポーネントの各タイルのコードストリームから画像データを生成する。図５は復号アルゴリズムを説明するためのブロック図である。
【００１８】
処理ブロック２１で、入力コードストリームに付加されたヘッダ情報を解釈し、各コンポーネントの各タイルのコードストリームに分解し、さらにパケットに分解する。次に処理ブロック２２でパケットをコードブロック毎の符号に分割し、処理ブロック２３でコードブロック毎に符号をビットプレーン復号化する。このビットプレーン復号化では、指定された順番（ヘッダ情報から分かる）でターゲットビット位置を定め、その周辺ビット（復号済み）からコンテキストを生成し、このコンテキストとコードストリームから確率推定によって復号化（ＭＱ復号化）を行ってターゲットビットを生成し、それをターゲットビットの位置に書き込む。このようにして復号化されたウェーブレット係数は、９×７変換が用いられた符号の場合には、処理ブロック２４で逆量子化（逆正規化を含む）を施される。次に、処理ブロック２５で２次元逆ウェーブレット変換を施されることにより、Ｙ，Ｃｂ，Ｃｒ各コンポーネントのタイル画像が復元される。復元されたＹＣｂＣｒデータは、処理ブロック２６でＤＣ逆レベルシフト及び逆色変換を施されることにより元のＲＧＢ表色系のデータに戻される。
【課題を解決するための手段】
【００１９】
この課題を解決するため、本発明は、前景、マスク及び背景の組からなる構造化文書の符号から、前景、マスク及び背景を復号し、復号されたマスクに従って復号された前景と背景を合成することにより文書画像データを再生する文書画像再生処理手段と、前記文書画像再生処理手段により再生された文書画像データを色材を用いて媒体に印刷する画像出力手段と、前記媒体を透過した光束を用いて得られる透過画像をタイル分割し、タイル単位で前記媒体の地合を測定することができる地合測定手段とを有し、前記文書画像再生処理手段は、構造化文書の符号から再生される文書画像データを前記画像出力手段により色材の消費を抑えて印刷可能なものにするためのトナーセーブ処理を、該構造化文書の前景及び背景に対し施すトナーセーブ処理手段を含み、前記トナーセーブ処理手段は、１つの媒体中においてもタイル単位で前記媒体の地合に応じて色材の消費を抑えるトナーセーブ度合を制御し、地合粗悪タイルでは地合良好タイルに比べて前記トナーセーブ度合を小さくすることを特徴とする画像出力装置を提案する。
【発明の効果】
【００２０】
用紙をタイルに分割し、タイル毎に用紙の地合を判定することにより、地合の悪いタイルではトナーセーブ度合を小さくし、地合の良いタイルではトナーセーブ度合を大きくすることにより、用紙のムラによらず、文字を判読可能としつつ高精度なトナーセーブ画像を生成することができる。
【図面の簡単な説明】
【００２１】
【図１】構造化文書とその符号の例を示す模式図である。
【図２】ＪＰＥＧ２０００符号化アルゴリズムを説明するためのブロック図である。
【図３】２次元ウェーブレット変換によるサブバンド分割例を示す図である。
【図４】タイル、サブバンド、プレシンクト、コードブロックの説明図である。
【図５】ＪＰＥＧ２０００復号アルゴリズムを説明するためのブロック図である。
【図６】本発明の実施形態を説明するためのブロック図である。
【図７】文書画像再生処理部のブロック図である。
【図８】画像出力部１０２の説明図である。
【図９】ＣＰＵでの用紙の地合判定部のブロック図である。
【図１０】地合良好タイルと地合粗悪タイルの輝度分布図である。
【図１１】タイル単位の地合判定の処理内容を表すフローチャートである。
【図１２】用紙の地合が良好な場合の、構造化文書の例とトナーセーブモードの結果を示す図である。
【図１３】用紙の地合が粗悪な場合の、構造化文書の例とトナーセーブモードの結果を示す図である。
【図１４】前景復号部、背景復号部及びトナーセーブ処理手段の構成を示すブロック図である。
【図１５】輝度補正部の処理フローを示す図である。
【図１６】地合良好タイルの場合の輝度補正部の処理フローを示す図である。
【図１７】地合粗悪タイルの場合の輝度補正部の処理フローを示す図である。
【図１８】輝度用係数補正テーブルを説明するためのグラフである。
【図１９】トナーセーブ処理の効果を説明するためのグラフである。
【図２０】ウェーブレット係数の意味を説明するための図である。
【図２１】２ＨＨ係数の絶対値の係数分布図である。
【図２２】タイル単位の地合判定の処理内容を表すフローチャートである。
【図２３】タイル単位の地合判定の処理内容を表すフローチャートである。
【図２４】前景復号部、背景復号部及びトナーセーブ処理手段の構成を示すブロック図である。
【図２５】係数補正部の処理フローを示す図である。
【図２６】地合良好タイルの場合の係数補正部の処理フローを示す図である。
【図２７】地合粗悪タイルの場合の係数補正部の処理フローを示す図である。
【図２８】輝度用係数補正テーブルを説明するためのグラフである。
【図２９】色差用係数補正テーブルを説明するためのグラフである。
【図３０】ＬＬサブバンド係数の全係数（総画素数）に対する割合を説明するための図である。
【図３１】前景復号部、背景復号部及びトナーセーブ処理手段の構成を示すブロック図である。
【図３２】処理ブロック２４の処理フローを示す図である。
【図３３】地合良好タイル用の逆正規化の処理フローを示す図である。
【図３４】地合粗悪タイル用の逆正規化の処理フローを示す図である。
【図３５】輝度用正規化分母補正テーブルを説明するためのグラフである。
【図３６】色差用正規化分母補正テーブルを説明するためのグラフである。
【図３７】本発明に係る複写機の構成例を示す図である。
【図３８】操作部の説明図である。
【図３９】ユーザーが操作部でトナーセーブモードを指定する場合の説明図である。
【図４０】プログラム（ソフトウェア）の説明図である。
【発明を実施するための形態】
【００２２】
図６は、本発明の実施形態を説明するためのブロック図である。図１において、文書画像再生処理部１００は、入力される構造化文書の符号から文書画像データを再生する手段である。ここでは、再生される文書画像データはＲＧＢデータであるものとする。この文書画像再生処理部１００には、モード指定信号により、トナーセーブを行うモード（トナーセーブモード）が指定された場合に、再生される文書画像データをトナーセーブ印刷が可能なものにするための処理（トナーセーブ処理と呼ぶ）を、構造化文書の前景と背景に対し施すトナーセーブ処理手段１０１を含む。
【００２３】
文書画像再生処理部１００により再生された文書画像データは画像出力部１０２に入力される。画像出力部１０２は、画像処理部１０３と作像部１０４からなる。作像部１０４は、色材を用いて用紙等の媒体上に画像を印刷する手段である。画像処理部１０３は、入力文書画像データ（ここではＲＧＢデータ）を作像部１０４に適したプリント信号に変換するものである。
【００２４】
ここでは、作像部１０４は、シアン（Ｃ）、マゼンタ（Ｍ）、イエロー（Ｙ）、ブラック（Ｋ）の色材を用いる電子写真方式の作像エンジンやインクジェット方式の作像エンジンを用いて画像を印刷するものとする。この場合、画像処理部１０３は、例えば、ＲＧＢ信号をＣＭＹＫ信号に変換する色変換処理部１０５と、このＣＭＹＫ信号に対しガンマ補正を施すガンマ補正部１０６と、ガンマ補正後のＣＭＹＫ信号にディザ処理や誤差拡散等の中間調処理を施す中間調処理部１０７とから構成される。ただし、これは例示であって、画像処理部１０３に、平滑化やエッジ強調等のためのフィルタ処理、その他の画質向上処理などの手段が含まれていてもよい。画像処理部１０３より出力されるプリント信号が作像部１０４に入力されることにより、文書画像再生処理部１００により再生された文書画像データが作像部１０４により印刷される。
【００２５】
画像処理部１０３における処理内容は、モード指示信号によってトナーセーブモードが指定された場合も、トナーセーブを行わないノーマルモードが指定された場合も同一である。
【００２６】
このような画像出力システムは、文書画像再生処理部１００と画像出力部１０２をプリンタや複写機等の１つの装置にまとめられる形態、又は、文書画像再生処理部１００と画像出力部１０２を物理的に分離した装置とされる形態をとることができる。後者の形態の一例を挙げれば、画像出力部１０２はプリンタもしくは複合機（ＭＦＰ；Multi Function Printer）であり、文書画像再生処理装置１００はパソコンなどのコンピュータにプログラムとして（例えばプリンタドライバ）として実装される。また、このようなプログラムが記録された磁気ディスク、光ディスク、光磁気ディスク、半導体記憶素子等のコンピュータが読み取り可能な情報記録媒体が利用可能である。以上のシステム形態の具体例は後述する。
【００２７】
図７は、文書画像再生処理部１００の好ましい内部構成を示すブロック図である。図示のように、文書画像再生処理部１００は、構造化文書の前景の符号、マスクの符号、背景の符号の復号処理を実行する前景復号部１１０、マスク復号部１１１、背景復号部１１２と、これら各復号部により復号された前景、マスク、背景から前述したような方法によって文書画像データを合成する合成処理部１１３から構成される。
【００２８】
トナーセーブ処理手段１０１は、構造化文書の前景及び背景に対しトナーセーブ処理を施すものであるので、前景復号部１１０及び背景復号部１１２の後段に設けることも可能であるが、好ましくは図示のように前景復号部１１０及び背景復号部１１２の内部に設けられる。
【００２９】
なお、図１に示した例のように、前景、マスク、背景の解像度もしくは画像サイズが異なる場合には、解像度を一致させるための解像度変換が合成処理部１１３で行われる。
【００３０】
以下、タイル毎に用紙の地合を測定する地合測定手段、前景復号部１１０、背景復号部１１２及びトナーセーブ手段１０１に関し、いくつかの実施例について詳細に説明する。なお、後記各実施例では、構造化文書の前景及び背景がＪＰＥＧ２０００により符号化されている場合を想定している。
【００３１】
＜実施例１＞
図８は、図６，３７における画像出力部１０２の説明図である。
用紙に画像を印刷するために、ユーザーが用紙トレイ１３０を選択し又は地合測定手段としてのＣＰＵ１３６により用紙サイズなどから自動的に用紙トレイの用紙が選択された場合、用紙は搬送路１３１を通って矢印の方向に搬送される。装置内部には用紙を裏面から照射する照明源１３２が配置されており、照明源の前の搬送路は照明光が用紙に届くように透明なガラス１３３で構成されている。ガラス１３３を挟んだ照明源１３２の対向部には、ガラスと用紙を通過した照明光を読み取る用紙読取部１３５が配置されている。照明源からの照明光を漏らさずに用紙読取り部１３５に届かせるため、光漏れ防止具１３４が用紙読取部１３５を取り囲んでいる。
【００３２】
用紙読取部１３５は例えばＣＣＤカメラであり、ＣＣＤカメラからの照明を切った状態で用紙の透過画像の読み取りを行う。用紙読取部で読み取られた用紙の画像データ（透過画像）から、ＣＰＵ１３６で用紙の地合の良し悪しを判定する。判定された情報はＣＰＵによりの制御部８２０（図３７参照）に送られる。次に、ローラ１３７，１３８により従来通りに印刷され、搬送路１３９を矢印方向に進み、ソータ１４０に排紙され、印刷が完了する。
【００３３】
図９は、ＣＰＵ１３６での用紙の地合判定部のブロック図である。
制御部（図３７参照）からタイル毎の地合判定の命令が来たら、用紙読取部では図８のＣＣＤカメラ１３５を用いて用紙の画像データ（透過画像）を読み取る。次いで、タイル分割部は、画像保存部（図３７参照）のタイルサイズと同じサイズで、読み取られた透過画像を分割する。タイル単位の地合判定部では、ＣＰＵ１３６によりタイル単位で用紙の地合を算出する。判定されたタイル単位の地合の情報は制御部に送信される。
【００３４】
図１０は、地合良好タイルと地合粗悪タイルの輝度分布図である。
図１０（ａ）に示すように、地合良好タイルの輝度値分布はばらつきが少ないのに対し、図１０（ｂ）に示すように、地合粗悪タイルの輝度値分布はばらつきが大きい。ばらつき度合を表す指標として標準偏差が用いた場合、地合良好タイルの場合には輝度値の標準偏差が小さく、地合粗悪タイルの場合には輝度値の標準偏差が大きいという特性がある。
【００３５】
図１１は、本実施例におけるタイル単位の地合判定の処理内容を表すフローチャートである。
先ず、ＣＰＵ１３６によりタイル内の全画素の読取値の標準偏差を算出する（Ｓ１）。次いで、標準偏差が閾値ｔｈ１より大きいかどうか判定する（Ｓ２）。標準偏差が閾値ｔｈ１より大きい場合には（Ｓ３）、地合粗悪タイルと判定し、閾値ｔｈ１以下の場合には（Ｓ４）、地合良好タイルと判定する。
【００３６】
図１２は、用紙の地合が良好な場合の、構造化文書の例とトナーセーブモードの結果を示す図である。
図中の上段に示すような前景、マスク、背景からなる構造化文書の符号の場合、ノーマルモード時には上段右端に示すような絵柄部分の濃い文書画像データが再生される。
【００３７】
一方、トナーセーブモード時には、前景と背景に対し上に述べたような輝度補正が施される結果、下段に示すように背景は明るく淡い画像とされ、したがって、下段右端に示すような絵柄部分が明るく淡い文書画像データが再生される。このような文書画像データは、ノーマルモード時の文書画像データに比べ、印刷時に作像部１０４の色材消費量が少なくて済む。このとき、印刷された文書画像中の文字が不鮮明になることも文字色が不自然になることもない。また、絵柄部分は明るく淡い画像となるが内容を識別可能である。
【００３８】
図１３は、用紙の地合が粗悪な場合の、構造化文書の例とトナーセーブモードの結果を示す図である。
用紙の地合が粗悪な場合に前景と背景を薄くしすぎると、絵柄部や文字部で紙の地合によるムラが目立ってしまうため、復号時の補正により、用紙の地合が良好な場合に比べて文字と絵柄を薄くする度合（トナーセーブ度合）を小さくした復号画像にする。結局、得られる画像は地合良好時よりも濃くなるが、ノーマルモード時よりも薄くなり、トナーがセーブされる。
本実施例では、図１２と図１３におけるトナーセーブ度合の切り替えをタイル単位で行う。
【００３９】
図１４は、本実施例に係る前景復号部１１０、背景復号部１１２及びトナーセーブ処理手段１０１の構成を示すブロック図である。図１４において、２１，２２，２３，２４，２５，２６は図５中の同じ番号の処理ブロックである。輝度補正部２０１と輝度補正テーブル２０２はトナーセーブ処理手段１０１を構成するものである。輝度補正部２０１は、トナーセーブモードが指定された場合に、処理ブロック２５の逆ウェーブレット変換により復元された輝度コンポーネントの画素値をタイル毎に補正する手段である。この処理は前景と背景に対して行なう。ノーマルモードが指定された場合、輝度補正部２０１では何ら補正を行わない。
【００４０】
図１５は、トナーセーブモードが指定された場合の輝度補正部２０１の処理フローを示す図である。先ず、図１１に示した方法で地合良好タイルかを判定する（Ｓ１）。地合良好タイルの場合（Ｓ２）は図１６に示すＡの処理を行い、地合良好タイルでない場合（Ｓ３）は図１７に示すＢの処理を行う。次に、最後のタイルかを判定し（Ｓ４）、最後のタイルでなければ（Ｓ５）、次のタイルへ移動し、最後のタイルであれば、処理を終了する。
【００４１】
図１６は、地合良好タイルの場合の輝度補正部２０１の処理フローを示す図である。先ず、輝度成分かを判定し（Ｓ１）、輝度成分ならば、輝度コンポーネントの注目画素の輝度値ｘに対応する補正値ｙを、地合良好タイル用の輝度補正テーブル２０２’から読み込み（Ｓ２）、注目画素の輝度値ｘを補正値ｙに置き換える（Ｓ３）。一方、輝度成分でなく色差成分ならば、補正しない。注目画素を順次移動しながら（Ｓ５）、同様の輝度コンポーネントの画素値補正を繰り返し、最後の画素まで処理済みとなると（Ｓ４，Ｙｅｓ）、処理を終わる。
【００４２】
図１７は、地合粗悪タイルの場合の輝度補正部２０１の処理フローを示す図である。先ず、輝度成分かを判定し（Ｓ１）、輝度成分であるならば、輝度コンポーネントの注目画素の輝度値ｘに対応する補正値ｙを、地合粗悪タイル用の輝度補正テーブル２０２’’から読み込み（Ｓ２）、注目画素の輝度値ｘを補正値ｙに置き換える（Ｓ３）。一方、輝度成分でなく色差成分ならば、補正しない。注目画素を順次移動しながら（Ｓ５）、同様の輝度コンポーネントの画素値補正を繰り返し、最後の画素まで処理済みとなると（Ｓ４，Ｙｅｓ）、処理を終わる。
【００４３】
このようにして補正された後の輝度コンポーネント及び補正されなかった色差Ｃｂ，Ｃｒコンポーネントのデータに対し、処理ブロック２６でＤＣ逆レベルシフト及び逆色変換が施されることにより、元のＲＧＢ表色系の前景、背景データ（画素値）が再生される。
【００４４】
図１８は、輝度補正テーブル２０２に格納されている補正前画素値と補正後画素値（補正値）の関係を表すグラフである。図１８（ａ）は、地合良好タイル用の輝度補正テーブルの具体例である。補正前画素値の全域において補正後の画素値を高輝度側へ補正するが、補正前の小さい画素値ａに対する補正度合αの方が、補正前の大きい画素値ｂに対する補正度合βより大きい、つまりα＞βの関係の補正特性となっている。このような補正特性の輝度補正テーブル２０２を用いて輝度コンポーネントの画素値を補正することにより、処理ブロック２６によりＤＣ逆レベルシフト及び色逆変換を施した後の前景、背景データは、図１９に示すように全体的に高輝度となり、また輝度の振幅も小さくなるため、明るく淡い（薄い）画像となる。よって、合成された文書画像データの絵柄部分は明るく淡い画像となる。このような画像は印刷時の色材の消費量が少なくて済む。
【００４５】
図１８（ｂ）は、地合粗悪タイル用の輝度補正テーブルの具体例である。同様に、小さい画素値ａに対する補正度合α’の方が、補正前の大きい画素値ｂに対する補正度合β’より大きい、つまりα’＞β’の関係の補正特性となっている。
【００４６】
図１８（ａ），（ｂ）の輝度補正テーブルは、トナーセーブモードにより文字が読めなくなったり、前景や背景の内容が分からなくなったりしないようなテーブルを実験により求めたものである。よって、機種によってテーブルの形は変わり得る。
【００４７】
図１８（ｃ）は、地合粗悪タイルと地合良好タイルの補正前の画素値と補正後の画素値の関係を表すグラフである。補正前の輝度が同じ値ならば、地合良好タイルの場合の方が、地合粗悪タイルの場合よりも補正の度合が大きくなっている。つまりα＞α’、β＞β’の関係が成立している。
【００４８】
図１９に示すように、本実施例では、復号後の画像の輝度値はどの色成分であっても、同じ画素位置であれば、
ノーマルモード時の輝度値  ＜  地合粗悪タイルの場合の輝度値  ＜  地合良好タイルの場合の輝度値
の関係になる。
【００４９】
以上のように、本実施例では補正後の画素値を高輝度側へ補正して画像を生成することにより、トナーセーブ又はインクセーブ効果が奏される。また、地合良好タイルの場合の方が、地合粗悪タイルの場合よりも補正の度合い（トナーセーブ度合）を大きくすることにより、地合粗悪タイルの場合に生じ得るムラを抑制することができる。
【００５０】
＜実施例２＞
本実施例では、タイル単位の地合判定部にウェーブレット係数を用いる。用紙の画像データのタイルの地合をウェーブレット係数の平均値により算出することで、より高精度にトナーセーブ画像が生成される。本実施例は、図１１のフローチャート以外は実施例１と同じである。
【００５１】
先ず、図２０を用いてウェーブレット係数の意味を説明する。
これは２階層でウェーブレット変換された例であり、階層数が大きくなるほど周波数が低くなる。よって、１ＨＨ係数よりも２ＨＨ係数の方が低周波帯域にある。また、ＨＬは縦方向のエッジ量、ＬＨは横方向のエッジ量、ＨＨは斜め方向のエッジ量を表す。例えば、１ＬＨは高周波帯域の横方向のエッジ量、２ＨＨは低周波帯域の斜め方向のエッジ量を表す。２ＬＬは、原画像を縦横４分の１にした元画像のサムネイルを表す。
【００５２】
図２１は、２ＨＨ係数の絶対値の係数分布図である。
用紙の地合（汚れやスジ）は、斜め方向に現れるものが多く目視でも確認できるので、低周波帯域の斜め方向のエッジ量と高い相関を有する。２ＨＨ係数は、図２１（ａ）に示すように地合良好タイルでは低めとなり、図２１（ｂ）に示すように地合粗悪タイルでは高めとなる。よって、本実施例では、タイルの地合判定に２ＨＨ係数の平均値を用いる。
【００５３】
図２２は、本実施例におけるタイル単位の地合判定の処理内容を表すフローチャートである。
先ず、ＣＰＵ１３６はタイル内の全画素をウェーブレット変換する（Ｓ１）。本実施例では２階層でウェーブレット変換しているが、階層数は２以上の任意の値でもよい。前述のように低周波帯域の斜め成分の係数と用紙の地合には高い相関があるので、本実施例では２ＨＨ係数を用いる。次いで、ＣＰＵ１３６はタイル内の２ＨＨ係数の絶対値の平均値ａｖｅ２ＨＨを算出し（Ｓ２）、ａｖｅ２ＨＨが閾値ｔｈ２より大きい場合には（Ｓ３，Ｙｅｓ）、地合粗悪タイルと判定し（Ｓ４）、ａｖｅ２ＨＨが閾値ｔｈ２以下の場合には（Ｓ３，Ｎｏ）、地合良好タイルと判定する（Ｓ５）。地合良好タイルと地合粗悪タイルの判定後は、実施例１と同様にしてトナーセーブ処理を行う。
【００５４】
＜実施例３＞
本実施例では、タイル単位の地合判定部にウェーブレット係数を用いる。用紙の画像データのタイルの地合をウェーブレット係数の中央値により算出することで、より高精度にトナーセーブ画像が生成される。本実施例は、図１１の説明以外は実施例１と同じである。
前述のように、用紙の地合（汚れやスジ）は斜め方向に現れるものが多く目視でも確認できるので、低周波帯域の斜め方向のエッジ量と高い相関がある。よって、本実施例では、タイルの地合判定に２ＨＨ係数の中央値を用いる。平均値の場合は孤立点があるとそれに影響されるが、中央値の場合は平均値に比べて孤立点の影響が小さい。
【００５５】
図２３は、本実施例におけるタイル単位の地合判定の処理内容を表すフローチャートである。
先ず、ＣＰＵ１３６はタイル内の全画素をウェーブレット変換する（Ｓ１）。本実施例では２階層でウェーブレット変換しているが、階層数は２以上の任意の値でもよい。前述のように低周波帯域の斜め成分の係数と用紙の地合には高い相関があるので、本実施例では２ＨＨ係数を用いる。次いで、ＣＰＵ１３６はタイル内の２ＨＨ係数の絶対値の中央値ｍｉｄ２ＨＨを算出し（Ｓ２）、ｍｉｄ２ＨＨが閾値ｔｈ３より大きい場合には（Ｓ３，Ｙｅｓ）、地合粗悪タイルと判定し（Ｓ４）、ｍｉｄ２ＨＨが閾値ｔｈ３以下の場合には（Ｓ３，Ｎｏ）、地合良好タイルと判定する（Ｓ５）。地合良好タイルと地合粗悪タイルの判定後は、実施例１と同様にしてトナーセーブ処理を行う。
【００５６】
＜実施例４＞
本実施例では、ウェーブレット係数の低周波成分のみ補正することにより、用紙の地合によらずトナーセーブ画像を高速に生成する。以下で用いる「ＬＬ」という用語は、前述したウェーブレット変換時のＬＬ係数であって、ウェーブレット変換したときの縦横ともに最も低周波の領域の係数のことである。
【００５７】
図２４は、本実施例に係る前景復号部１１０、背景復号部１１２及びトナーセーブ処理手段１０１の構成を示すブロック図である。図２４において、２１，２２，２３，２４，２５，２６は図５中の同じ番号の処理ブロックである。係数補正部２１１と輝度用係数補正テーブル２１２及び色差用係数補正テーブル２１３はトナーセーブ処理手段１０１を構成するものである。係数補正部２１１は、トナーセーブモードが指定された場合に、処理ブロック２４によって逆量子化（逆正規化を含む）後の輝度Ｙ及び色差Ｃｂ，Ｃｒの各コンポーネントの低周波サブバンドであるＬＬサブバンドの係数に対し補正を行う手段である。この処理は、前景と背景に対して行なう。ノーマルモード時には、係数補正部２１１は何らの補正も行わない。
【００５８】
図２５は、トナーセーブモードが指定された場合の係数補正部２１１の処理フローを示す図である。先ず、図１１、図２２又は図２３に示した方法により、地合良好タイルかを判定する（Ｓ１）。地合良好タイルの場合（Ｓ２）は図２６に示すＣの処理を行い、地合良好タイルでない場合（Ｓ３）は図２７に示すＤの処理を行う。次に、最後のタイルかを判定し（Ｓ４）、最後のタイルでなければ（Ｓ５）、次のタイルを判定する。最後のタイルであれば、処理を終了する。
【００５９】
図２６は、地合良好タイルの場合の係数補正部２１１の処理フローを示す図である。先ず、注目係数がＬＬサブバンド係数であるならば（Ｓ１，Ｙｅｓ）、注目係数の値ｘに対応した補正値ｙを、当該注目係数が輝度コンポーネントならば地合良好タイル用の輝度用係数補正テーブル２１２’より、当該注目係数が色差コンポーネントならば地合良好タイル用の色差用係数補正テーブル２１３’より読み込み（Ｓ２）、注目係数値ｘを補正値ｙに置き換える（Ｓ３）。注目係数を次の係数へ移動させ（Ｓ５）、Ｓ１に戻る。注目係数を順次移動しながら各コンポーネントのＬＬサブバンドの係数の補正を繰り返す。残りの係数が無くなると（Ｓ４，Ｙｅｓ）、処理を終わる。
【００６０】
図２７は、地合粗悪タイルの場合の係数補正部２１１の処理フローを示す図である。図２６と異なり、注目係数がＬＬサブバンド係数であるならば（Ｓ１，Ｙｅｓ）、注目係数の値ｘに対応した補正値ｙを、当該注目係数が輝度コンポーネントならば地合粗悪タイル用の輝度用係数補正テーブル２１２’’より、当該注目係数が色差コンポーネントならば地合粗悪タイル用の色差用係数補正テーブル２１３’’より読み込み（Ｓ２）、注目係数値ｘを補正値ｙに置き換える（Ｓ３）。注目係数を次の係数へ移動させ（Ｓ５）、Ｓ１に戻る。注目係数を順次移動しながら各コンポーネントのＬＬサブバンドの係数の補正を繰り返す。残りの係数が無くなると（Ｓ４，Ｙｅｓ）、処理を終わる。
【００６１】
このようにしてＬＬサブバンド係数が補正された後の各コンポーネントの係数に対し処理ブロック２５でタイル毎に逆ウェーブレット変換が実行され、次に処理ブロック２６でＤＣ逆レベルシフト及び逆色変換が施されることにより元のＲＧＢ表色系の前景、背景データが再生される。
【００６２】
図２８は、図２４の輝度用係数補正テーブル２１２に格納されている補正前係数値と補正後係数値（補正値）の関係を表すグラフである。図２８（ａ）は、地合良好タイル用の輝度用係数補正テーブル２１２’の具体例である。係数値の全域で高輝度側へ補正するが、小さな係数値ｃに対する補正度合Ｃの方が大きな係数値ｄに対する補正度合Ｄより大きい、つまりＣ＞Ｄの関係の補正特性となっている。
【００６３】
このような補正特性の輝度用係数補正テーブル２１２を用いて上述の輝度コンポーネントのＬＬサブバンドの係数値補正を行うため、処理ブロック２５により逆ウェーブレット変換し、処理ブロック２６でＤＣ逆レベルシフト及び色逆変換を行って再生される前景、背景は、全体的に明るく淡い（薄い）画像となる。よって、合成される文書画像データの絵柄部分は明るく淡い画像となるため、前記実施例１で述べたように印刷時の色材の消費が節減される。前景、背景のＬＬサブバンド係数以外のサブバンドの係数は補正されないため、文書画像の絵柄中の輪郭などはかなり保存され、絵柄部分の内容は十分に判読可能である。
【００６４】
図２８（ｂ）は、地合粗悪タイル用の輝度用係数補正テーブル２１２’’の具体例である。同様に、補正前の小さい係数値ｃに対する補正度合Ｃ’の方が、補正前の大きい係数値ｄに対する補正度合Ｄ’より大きい、つまりＣ’＞Ｄ’の関係の補正特性となっている。
【００６５】
図２８（ａ），（ｂ）の輝度用係数補正テーブルは、トナーセーブにより文字が読めなくなったり、前景や背景の内容が分からなくなったりしないようなテーブルを実験により求めたものである。よって、機種によってテーブルの形は変わり得る。
【００６６】
図２８（ｃ）は、地合良好タイルと地合粗悪タイルの係数補正（輝度成分）の補正前の係数値と補正後の係数値の関係を表すグラフである。補正前の係数が同じ値ならば、地合良好タイルの場合の方が、地合粗悪タイルの場合よりも補正の度合が大きい。つまりＣ＞Ｃ’、Ｄ＞Ｄ’の関係が成立している。
【００６７】
図２９は、図２４の色差用係数補正テーブル２１３に格納されている補正前係数値と補正後係数値（補正値）の関係を表すグラフである。図２９（ａ）は、地合良好タイル用の色差用係数補正テーブル２１３’の具体例である。図示のように、係数値の全域で色差を圧縮させるように補正するが、絶対値の小さい係数値ｅに対する補正度合Ｅよりも補正前の絶対値の大きい係数値ｆに対する補正度合Ｆが大きい、つまりＦ＞Ｅの関係の補正特性となっている。このような補正特性の係数補正テーブル２１３を用いて上述の色差コンポーネントのＬＬサブバンド係数の補正を行うため、逆ウェーブレット変換後の色差コンポーネントは色差が圧縮された色味の少ない画像となる。
【００６８】
よって、合成される文書画像データの絵柄部分は全体が明るく色味の弱い淡い画像となるため、前記実施例１に述べたように印刷時の色材の消費が節減される。
【００６９】
図２９（ｂ）は、地合粗悪タイル用の色差用係数補正テーブル２１３’’の具体例である。同様に、補正前の小さい係数値ｅに対する補正度合Ｅ’よりも、補正前の大きい係数値ｆに対する補正度合Ｆ’が大きい、つまりＦ’＞Ｅ’の関係の補正特性となっている。
【００７０】
図２９（ｃ）は、地合粗悪タイルと地合良好タイルの係数補正（色差成分）の補正前の係数値と補正後の係数値の関係を表すグラフである。補正前の係数が同じ値ならば、地合良好タイルの場合の方が、地合粗悪タイルの場合よりも補正の度合が大きい。つまりＥ＞Ｅ’、Ｆ＞Ｆ’の関係が成立するような補正グラフとしている。
【００７１】
図３０に示すように、ウェーブレット変換のデコンポジションレベル数（階層数）＝２の場合、ＬＬ（２ＬＬ）サブバンド係数の個数は全係数（総画素数）の１６分の１と少ないため、輝度と色差の全コンポーネントを補正対象としても、前記実施例１のように逆ウェーブレット変換後の輝度コンポーネントの全画素を補正する場合に比べ、補正のための処理量が大幅に減少し処理の高速化に有利である。この利点はデコンポジションレベル数が大きいほど顕著である。すなわち、デコンポジションレベル数をＮとすると、ＬＬサブバンド係数の個数は、全係数の２の２Ｎ乗分の１である。例えばＮ＝３の場合、ＬＬサブバンド係数の個数は全係数の６４分の１となるので、さらに補正処理を高速化可能である。
【００７２】
なお、本実施例では、ＬＬサブバンドについて処理をするという構成にしたが、それに限らず所定のデコンポジションレベル以上の他の係数（ＬＨサブバンド、ＨＬサブバンド、ＨＨサブバンド）につき補正をするという構成にしてもよい。
【００７３】
図１９に示すように、本実施例でも、復号後の画像の輝度値はどの色成分であっても、同じ画素位置であれば、
ノーマルモード時の輝度値  ＜  地合粗悪タイルの場合の輝度値  ＜  地合良好タイルの場合の輝度値
の関係になる。
【００７４】
以上のように、本実施例では補正後の輝度コンポーネントの係数値を高輝度側へ補正し、色差コンポーネントの係数値を圧縮させて画像を生成することにより、トナーセーブ又はインクセーブ効果が奏される。また、地合良好タイルの場合の方が、地合粗悪タイルの場合よりも補正の度合（トナーセーブ度合）を大きくすることにより、地合粗悪タイルの場合に生じ得るムラを抑制することができる。さらに、輝度コンポーネントと色差コンポーネントのＬＬ係数だけを補正することにより、処理時間が短縮される。
【００７５】
＜実施例５＞
本実施例では、正規化前の正規化分母を低周波成分のみ補正することにより、用紙の地合によらず高速にトナーセーブ画像を生成する。
図３１は、本実施例に係る前景復号部１１０、背景復号部１１２及びトナーセーブ処理手段１０１の構成を示すブロック図である。図３１において、２１，２２，２３，２４，２５，２６は図５中の同一番号を付けた処理ブロックである。ただし、トナーセーブモード時に処理ブロック２４で逆正規化に用いられる正規化分母値が補正される。この処理は、前景と背景に対して行なう。
【００７６】
処理ブロック２４における逆正規化処理に関連して標準正規化分母テーブル２２２の他に、輝度用正規化分母補正テーブル２２３と色差用正規化分母補正テーブル２２４を有する。標準正規化分母テーブル２２２には標準の（符号化時の正規化で用いられたものと同じ）正規化分母値が格納されている。輝度用正規化分母補正テーブル２２３には、輝度コンポーネントのＬＬサブバンド係数のための正規化分母補正値が格納されている。色差用正規化分母補正テーブル２２４には、色差Ｃｂ，ＣｒコンポーネントのＬＬサブバンドの係数のための正規化分母補正値が格納されている。
【００７７】
トナーセーブモードが指定された場合には、輝度コンポーネントの低周波サブバンドであるＬＬサブバンドの係数に対する逆正規化に輝度用正規化分母補正テーブル２２３に格納されている正規化分母補正値を用い、色差コンポーネントの低周波サブバンドであるＬＬサブバンドの係数に対する逆正規化に色差用正規化分母補正テーブル２２４に格納されている正規化分母補正値を用いることにより、前景と背景に対しトナーセーブ処理が施される。すなわち、本実施例においては、処理ブロック２４（その逆正規化機能）と輝度用正規化分母補正テーブル２２３及び色差用正規化分母補正テーブル２２４によって、トナーセーブ処理手段１０１が実現される。
【００７８】
図３２は、トナーセーブモードが指定された場合の処理ブロック２４の処理フローを示す図である。先ず、図１１、図２２又は図２３に示した方法により、地合良好タイルかを判定する（Ｓ１）。地合良好タイルの場合（Ｓ２）は図３３に示すＥの処理を行い、地合良好タイルでない場合（Ｓ３）は図３４に示すＦの処理を行う。次に、最後のタイルかを判定し（Ｓ４）、最後のタイルでなければ（Ｓ５）、次のタイルを判定する。最後のタイルであれば、処理を終了する。
【００７９】
処理ブロック２４では逆量子化と逆正規化の処理が行われるが、トナーセーブモードが指定された場合の逆正規化の処理フローを図３３、図３４に示す。逆正規化処理は全コンポーネントの全係数に対して行われる。なお、トナーセーブをしないノーマルモードが指定された場合には、図３３、図３４においてＳ１，Ｓ５，Ｓ６，Ｓ７からなる処理ループで逆正規化処理が行われる。
【００８０】
地合良好タイル用の逆正規化の処理フローを示す図３３を参照する。注目係数に対応した標準の正規化分母値Ｑを標準正規化分母テーブル２２２より取得する（Ｓ１）。注目係数が輝度コンポーネントの低周波サブバンドであるＬＬサブバンドの係数でないならば（Ｓ２，Ｎｏ）、標準の正規化分母値Ｑを注目係数値ｘに乗算し、注目係数を逆正規化する（Ｓ５）。
【００８１】
注目係数がＬＬサブバンドの係数であるならば（Ｓ２，Ｙｅｓ）、注目係数が輝度コンポーネントならば地合良好タイル用の輝度用正規化分母補正テーブル２２３’より、注目係数が色差コンポーネントならば地合良好タイル用の色差用正規化分母補正テーブル２２４’より、注目係数値ｘに対応した正規化分母補正値Ｑ’を読み込み（Ｓ３）、Ｓ１で取得した正規化分母値Ｑを正規化分母補正値Ｑ’に置き換え（Ｓ４）、置き換え（補正）後の正規化分母値Ｑを注目係数値ｘに乗算することにより注目係数を逆正規化する（Ｓ５）。
【００８２】
注目係数を次の係数へ移動させ（Ｓ７）、Ｓ１に戻る。注目係数を順次移動しながら同様の逆正規化処理を繰り返し、全コンポーネントの全ての係数が処理済みとなると（Ｓ６，Ｙｅｓ）、処理を終わる。
【００８３】
処理ブロック２４によって処理後の各コンポーネントの係数に対し処理ブロック２５でタイル毎に逆ウェーブレット変換が実行され、次に処理ブロック２６でＤＣ逆レベルシフト及び逆色変換が施されることにより元のＲＧＢ表色系の前景、背景データが再生される。
【００８４】
図３４は、地合粗悪タイル用の逆正規化の処理フローを示す図である。ここで、Ｓ１，Ｓ２，Ｓ４，Ｓ５，Ｓ６，Ｓ７は、図３３における処理と同じである。ここでは、Ｓ３において、注目係数が輝度コンポーネントならば地合粗悪タイル用の輝度用正規化分母補正テーブル２２３’’より、注目係数が色差コンポーネントならば地合粗悪タイル用の色差用正規化分母補正テーブル２２４’’より、注目係数値ｘに対応した正規化分母補正値Ｑ’を読み込む点のみ異なる。
【００８５】
図３５は、輝度用正規化分母補正テーブル２２３に格納されている正規化分母補正値と輝度コンポーネントのＬＬサブバンド係数の値との関係を表すグラフである。図３５（ａ）は、図３５の地合良好タイル用の輝度用正規化分母補正テーブル２２３’の具体例である。図示のように、係数値の全域で正規化分母補正値は標準の正規化分母値（標準値）より大きくなるように補正されるが、小さい係数値ｃに対する補正度合Ｃの方が大きい係数値ｄに対する補正度合Ｄより大きい、つまりＣ＞Ｄの関係の補正特性となっている。
【００８６】
このような補正特性の正規化分母補正値を、上述の輝度コンポーネントのＬＬサブバンド係数の逆正規化に用いるため、ＤＣ逆レベルシフト及び色逆変換後の前景と背景は、全体的に明るく淡い（薄い）画像となる。よって、合成される文書画像データの絵柄部分は明るく淡い画像となるため、印刷時の色材の消費が節減される。前景と背景のＬＬサブバンド以外のサブバンドの係数は補正されないため、文書画像の絵柄部分の輪郭などはかなり保存され、絵柄部分の内容は十分に識別可能である。
【００８７】
なお、前記実施例４に関連しても述べたが、図３２に示すように、デコンポジションレベル数＝２の場合、ＬＬサブバンドの係数の個数は全係数（総画素数）の１６分の１と少ないため、前記実施例１のように逆ウェーブレット変換後の輝度コンポーネントの全画素を補正する場合に比べ、補正のための処理量が大幅に減少し処理の高速化に有利である。この利点はデコンポジション数が大きいほど顕著である。例えばＮ＝３の場合、ＬＬサブバンド係数の個数は全係数の６４分の１となるので、さらに補正処理は高速化される。
【００８８】
図３５（ｂ）は、図３４の地合粗悪タイル用の輝度用正規化分母補正テーブル２２３’’の具体例である。同様に、補正前の小さい係数値ｃに対する補正度合Ｃ’の方が、補正前の大きい係数値ｄに対する補正度合Ｄ’より大きい、つまりＣ’＞Ｄ’の関係の補正特性となっている。
【００８９】
図３５（ａ），（ｂ）の正規化分母補正テーブルは、トナーセーブにより文字が読めなくなったり、前景や背景の内容が分からなくなったりしないようなテーブルを実験により求めたものである。よって、機種によってテーブルの形は変わる。
【００９０】
図３５（ｃ）は、前景部と背景部における、正規化分母補正（輝度成分）の補正後の正規化分母の値の関係を表すグラフである。補正前の係数値が同じならば、地合良好タイルの場合の方が、地合粗悪タイルの場合よりも補正の度合が大きい。つまりＣ＞Ｃ’、Ｄ＞Ｄ’の関係が成立するような補正グラフとする。
【００９１】
図３６は、色差用正規化分母補正テーブル２２４に格納されている係数値と正規化分母補正値の関係を示すグラフである。図３６（ａ）は、図３３の地合良好タイル用の色差用正規化分母補正テーブル２２４’の色差成分の具体例である。図示のように、係数値の全域で正規化分母補正値は標準の正規化分母値（標準値）より小さくなるよう補正されるが、絶対値の小さい係数値ｅに対する補正度合Ｅより絶対値の大きい係数値ｆに対する補正度合Ｆが大きい、つまりＦ＞Ｅの関係の補正特性となっている。このような正規化分母補正値を、上述の色差コンポーネントのＬＬサブバンド係数の逆正規化に用いるため、色差が圧縮される。したがって、処理ブロック２５により逆ウェーブレット変換した色差コンポーネントは色味の弱い画像となる。
【００９２】
図３６（ｂ）は、図３４の地合粗悪タイル用の色差用正規化分母補正テーブル２２４’’の具体例である。同様に、補正前の小さい係数値ｅに対する補正度合Ｅ’より、補正前の大きい係数値ｆに対する補正度合Ｆ’が大きい、つまりＦ’＞Ｅ’の関係が成立する補正グラフとする。
【００９３】
図３６（ｃ）は、前景部と背景部における、正規化分母補正（色差成分）の補正後の正規化分母の値の関係を表すグラフである。補正前の係数値が同じならば、地合良好タイルの場合の方が、地合粗悪タイルの場合よりも補正の度合が大きい。つまりＥ＞Ｅ’、Ｆ＞Ｆ’の関係が成立する補正グラフとなるようなテーブルにする。
【００９４】
以上から、処理ブロック２６によりＤＣ逆レベルシフト及び色逆変換後の前景と背景は、全体的に明るく色味の弱い淡い画像となる。よって、合成される文書画像データの絵柄部分は明るく色味の少ない淡い画像となるため、印刷時の色材の消費が節減される。前景と背景のＬＬサブバンド以外のサブバンドの係数は補正されないため、文書画像の絵柄中の輪郭などはかなり保存され、絵柄部分の内容は十分に識別可能である。
【００９５】
図３０に関連して述べたように、補正のための処理量が大幅に減少し処理の高速化に有利である。
また、本実施例では、ＬＬ成分について処理をするという構成にしたが、それに限らず所定のデコンポジションレベル以上の他の係数（ＬＨサブバンド、ＨＬサブバンド、ＨＨサブバンド）につき補正をするという構成にしてもよい。
【００９６】
また、図１９に示すように、本実施例でも、復号後の画像の輝度値はどの色成分であっても、同じ位置の画素であれば、
ノーマルモード時の輝度値  ＜  地合粗悪タイルの場合の輝度値  ＜  地合良好タイルの場合の輝度値
の関係になる。
【００９７】
以上のように、本実施例では補正後の輝度コンポーネントの係数値を高輝度側へ補正し、色差コンポーネントの係数値を圧縮させて画像を生成することにより、トナーセーブ又はインクセーブ効果が奏される。また、地合良好タイルの場合の方が、地合粗悪タイルの場合よりも補正の度合（トナーセーブ度合）を大きくすることにより、地合粗悪タイルの場合に生じ得るムラを抑制することができる。さらに、輝度コンポーネントと色差コンポーネントのＬＬ係数だけを補正することにより、処理時間が短縮される。
【００９８】
図３７は、本発明に係る複写機のハードウェア構成の一例を示す。図３７において、８０１はＣＰＵ、８０２は制御や処理のためのプログラムが格納されたＲＯＭ、８０３はＣＰＵ８０１の作業記憶域や実行プログラムの記憶域等として利用されるＲＡＭである。８０４は文書の原稿を光学的に読み取って文書画像データ（ラスターデータ）を入力する画像入力部、８０５は画像入力部８０４より入力された文書画像データから前景、マスク、背景からなる構造化文書の符号を生成する符号化部、８０６は構造化文書符号等を保存するためのハードディスク装置のような画像保存部である。８０７は復号部、８０８は画像出力部であり、これは図６中の画像処理部１０３に対応した画像処理部８０９と図６中の作像部１０４に対応した作像部９１０からなる。８１１（図３８参照）はユーザーが各種の指示を入力するための操作部である。
【００９９】
復号部８０７は図７中の前景復号部１１０（トナーセーブ処理手段１０１を含む）、マスク復号部１１１、背景復号部１１２（トナーセーブ処理手段１０１を含む）からなるものである。図７の合成処理部１１３の機能は、ＣＰＵ８０１のプログラム処理によって実現される。ただし、合成処理部１１３の機能を画像処理部８０９に含めることも可能であり、かかる態様も本実施形態に包含される。
【０１００】
ユーザーは、操作部８１１を利用し、画像保存部８０６に保存されている構造化文書符号を指定し、その印刷を指示することができる。この際に、ユーザーはトナーセーブモードとトナーセーブをしないノーマルモードの指定も行うことができる。
【０１０１】
印刷指示が入力されると、ＣＰＵ８０１からの命令により画像保存部８０６から指定された構造化文書符号がＲＡＭ８０３へ転送される。ＣＰＵ８０１からの命令によりＲＡＭ８０３上の構造化文書符号が復号部８０７へ転送され、前景、マスク及び背景が復号される。トナーセーブモードが指定されている場合にはＣＰＵ８０１により前景復号部および背景復号部内のトナーセーブ処理手段が有効にされるため、前景および背景に対しトナーセーブ処理が施される。復号された前景、マスク、背景のデータはＲＡＭ８０３へ転送される。この前景、マスク、背景のデータから文書画像データを合成する処理がＣＰＵ８０１のプログラム処理によって実行され、ＲＡＭ８０３上に文書画像データが再生される。この文書画像データは、ＣＰＵ８０１からの命令により画像処理部８０９へ転送されて処理され、プリント信号が作像部８１０へ出力されることにより、構造化文書符号から再生された文書画像データが印刷される。トナーセーブモードが指定された場合には、前景、背景に対し前述のようなトナーセーブ処理が施されるため、作像部８１０の色材の消費が抑えられる。
【０１０２】
＜実施例６＞
本実施例では、トナーセーブ画像を生成するにあたり、ユーザーが用紙の地合の度合を選択することができる。
図３８は、画像出力装置の操作部８１１の一例である。
「コピー」ボタンを押せば通常のコピー動作を行う。一方、「印刷」ボタンを押すとトナーセーブモードとなり、画像入力部８０４から画像処理部８０９に画像データを渡すのを止めて、画像保存部８０６に保存されている画像のリストを出す。ユーザーは、印刷したい画像（ここでは、３の画像）を選択し、「決定」ボタンを押す。すると選択手段である操作部８１１の画面９１１は用紙の地合の選択を要求するので、ここでは「自動（タイル）」を選択し、「決定」ボタンを押す。すると制御部８２０は、画像保存部８０６からユーザーが選択した画像を復号部８０７に送る。また、制御部は画像出力部１０２から用紙のタイル毎の地合に関する情報を取得し、復号部８０７に送る。復号部８０７は、制御部から送られてきたパラメータを用いて、ＪＰＭ形式の画像からＲＧＢの画像に復号化する（図１４参照）。復号化された画像は画像出力部１０２で印刷される。
【０１０３】
図３９は、ユーザーが操作部８１１でトナーセーブモードを指定する場合の説明図である。
ユーザーは、操作部８１１でフルカラー、モノクロ又はトナーセーブモードを指定することもできる。トナーセーブモードを指定すると、用紙の地合を選択する画面が現れる。自動（タイル）を指定すると、用紙のタイルの地合が判定され、実施例１，２，３，４又は５に示した方法が実施され、用紙のタイルの地合によらず良好なトナーセーブ画像が生成される。一方、自動（全面）を指定すると、画像全体の地合が判定される。
【０１０４】
＜実施例７＞
図４０は、本発明に係るプログラム（ソフトウェア）の説明図である。
本プログラム（ソフトウェア）によれば、ユーザーは、図３９において用紙の地合の選択ボタンで「良好」、「粗悪」、「自動（全面）」、「自動（タイル）」のいずれかを選択した後、前景、背景又は前景と背景のボタンを押すことでトナーセーブする部分を選択することができる。次に、「印刷」ボタンを押すことで、用紙の地合が考慮されたトナーセーブ画像が出力される。
【０１０５】
なお、前記実施例では、用紙の地合判定を良好・粗悪の２種類で判定したがこれに限らず、３種類以上に判定して、それに応じたトナーセーブ度合の制御をしてもよい。また、用紙の地合の程度を連続的な数値として捉えて判定し、それに応じた制御をしてもよい。また、用紙の地合が同じであれば、前景（文字色）より背景（絵柄部）のトナーセーブ度合を大きくしてもよい。また、用紙の地合が極端に悪ければ、前景をトナーセーブせずに、背景のみトナーセーブしてもよい。
【符号の説明】
【０１０６】
１００  文書画像再生処理手段
１０２  画像出力手段
１３６  ＣＰＵ（地合測定手段）
１０１  トナーセーブ処理手段
【先行技術文献】
【特許文献】
【０１０７】
【特許文献１】特開２００７−２３５６７９号公報
【図１】
2014078787.tif 000003
【図２】
2014078787.tif 000004
【図３】
2014078787.tif 000005
【図４】
2014078787.tif 000006
【図５】
2014078787.tif 000007
【図６】
2014078787.tif 000008
【図７】
2014078787.tif 000009
【図８】
2014078787.tif 000010
【図９】
2014078787.tif 000011
【図１０】
2014078787.tif 000012
【図１１】
2014078787.tif 000013
【図１４】
2014078787.tif 000014
【図１５】
2014078787.tif 000015
【図１６】
2014078787.tif 000016
【図１７】
2014078787.tif 000017
【図１８】
2014078787.tif 000018
【図１９】
2014078787.tif 000019
【図２０】
2014078787.tif 000020
【図２１】
2014078787.tif 000021
【図２２】
2014078787.tif 000022
【図２３】
2014078787.tif 000023
【図２４】
2014078787.tif 000024
【図２５】
2014078787.tif 000025
【図２６】
2014078787.tif 000026
【図２７】
2014078787.tif 000027
【図２８】
2014078787.tif 000028
【図２９】
2014078787.tif 000029
【図３０】
2014078787.tif 000030
【図３１】
2014078787.tif 000031
【図３２】
2014078787.tif 000032
【図３３】
2014078787.tif 000033
【図３４】
2014078787.tif 000034
【図３５】
2014078787.tif 000035
【図３６】
2014078787.tif 000036
【図３７】
2014078787.tif 000037
【図３８】
2014078787.tif 000038
【図１２】
2014078787.tif 000039
【図１３】
2014078787.tif 000040
【図３９】
2014078787.tif 000041
【図４０】
2014078787.tif 000042